(57)【要約】【課題】偏光板およびＷＶフィルムの取り付け姿勢を容易に調整し、最適なコントラストを得る光学ユニットを提供する。【解決手段】偏光板本体２２ａおよびＷＶフィルム本体２３ａを保持して光学ユニット２の筐体２ａに別個独立して取り付けられるフレーム２２ｂ，２２ｂを備え、各フレーム２２ｂは、偏光板本体２２ａおよびＷＶフィルム本体２３ａのうちの対応する一方の液晶ライトバルブ２４に対する取り付け姿勢を調整するための調整用ボルトＢ２２，Ｂ２３を挿通可能な挿通孔が形成されたステー２２ｃがその側方に突出形成されると共に、光の進行方向と平行な仮想回転軸を中心として回動可能に少なくとも２点で支持されて調整用ボルトＢ２２，Ｂ２３によって取り付けられ、かつ、調整用ボルトＢ２２，Ｂ２３の締め付け量に応じて回動して対応する一方の取り付け姿勢を調整可能に構成されている。【選択図】        図４
2004294896.tif 000002
【特許請求の範囲】
【請求項１】
集光レンズ、偏光板、ＷＶフィルムおよび光変調素子が光の進行方向に沿ってこの順序で配設された光変調光学系を備え、光源から射出された光を前記光変調光学系によって光変調して投射光学系に射出可能に構成された光学ユニットであって、
前記偏光板および前記ＷＶフィルムを保持して当該光学ユニットの筐体に別個独立してそれぞれ取り付けられる一対の枠部材を備え、
前記各枠部材は、前記偏光板および前記ＷＶフィルムのうちの対応する一方の前記光変調素子に対する取り付け姿勢を調整するためのボルトを挿通可能な挿通孔が形成されたステーがその側方に突出形成されると共に、前記光の進行方向と平行な仮想回転軸を中心として回動可能に少なくとも２点で支持された状態において前記挿通孔を挿通させた前記ボルトによるボルト締めで前記筐体に取り付けられ、かつ、当該ボルトの締め付け量に応じて前記仮想回転軸を中心として回動して前記対応する一方の前記取り付け姿勢を調整可能にそれぞれ構成されている光学ユニット。
【請求項２】
前記ボルトの頭部に向けて前記ステーを付勢する付勢手段が当該ステーと前記筐体との間に配設されている請求項１記載の光学ユニット。
【請求項３】
前記一対の枠部材は、その前記各ステーが相反する側の側方にそれぞれ突出形成されて構成されている請求項１または２記載の光学ユニット。
【請求項４】
請求項１から３のいずれかに記載の光学ユニットを備えて構成されているプロジェクタ。
【発明の詳細な説明】
【０００１】
【発明の属する技術分野】
本発明は、光源から射出された光を光変調光学系によって光変調して投射光学系に射出可能に構成された光学ユニットおよびプロジェクタに関するものである。
【０００２】
【従来の技術】
この種の光学ユニットを備えて構成されたプロジェクタとして、出願人は、光源ランプユニット（８）によって射出された光を光学ユニット（９）が光変調して投写レンズユニット（６）に射出することにより、投写面（７：スクリーン）に各種の表示画面を投写可能に構成された投写型表示装置（１）を特開２０００−２２１５８８号公報に開示している。この投写型表示装置は、その光学ユニットが、色分離光学系（９２４）、リレー光学系（９２７）、入射側の偏光板（６０Ｒ，６０Ｇ，６０Ｂ）、液晶パネルユニット（５０Ｒ，５０Ｇ，５０Ｂ）、射出側の偏光板（６１Ｒ，６１Ｇ，６１Ｂ）およびプリズムユニット（２０）などを備えて構成されている。この場合、入射側の偏光板は、液晶パネルユニットに入射させる光を直線偏光し、射出側の偏光板は、液晶パネルユニットによって光変調された光の振幅方向を統一する。したがって、この投写型表示装置では、液晶パネルユニットによる光変調（偏光）の向きに合わせて、両偏光板の液晶パネルユニットに対する取り付け姿勢（偏光の向き）を調整する必要がある。このため、出願人が開示している投写型表示装置では、その製造時に、液晶パネルユニットに対する両偏光板の取り付け姿勢が調整されて（両偏光板をそれぞれ回動させて）、例えば接着剤によって両偏光板が光学ユニットの筐体に固定されている。
【０００３】
【特許文献１】
特開２０００−２２１５８８号公報（第４−８頁）
【０００４】
【発明が解決しようとする課題】
ところが、出願人が開示している従来の投写型表示装置には、以下の改善すべき課題がある。すなわち、この投写型表示装置では、液晶パネルユニットに対する両偏光板の取り付け姿勢を調整した後に接着剤等で筐体に固定することによって光学ユニットが組み立てられている。この場合、光学ユニットの組み立て時には、例えば、組み立て中の光学ユニットを検査用治具に固定した状態で検査用スクリーンに検査画面を投射して、検査画面を参照しつつ偏光板を回動させて取り付け姿勢を調整する。しかし、検査用治具に固定した状態で検査用スクリーンに投射した検査画面と、組み立てが完了した光学ユニットを投写型表示装置（プロジェクタ）に搭載した状態でスクリーンに投射する表示画面とでは、その表示環境が僅かに異なる。また、投写型表示装置を長期に亘って使用した場合、装置に加わった振動等に起因して液晶パネルユニットに対する両偏光板の取り付け姿勢が変化することがある。この場合、入射側の偏光板（以下、「入射側偏光板」ともいう）の液晶パネルユニットに対する取り付け姿勢が正常の姿勢からずれている状態では、スクリーンに投射される表示画面のコントラストが低下する。したがって、最適な表示画面を表示可能にするためには、液晶パネルユニットに対する入射側偏光板の取り付け姿勢を再調整する必要が生じる。しかし、入射側偏光板が接着剤等で固定されているこの光学ユニットでは、調整作業に先立って接着剤を除去して入射側偏光板を取り外す必要があるため、取り付け姿勢の調整が煩雑であるという課題が存在する。
【０００５】
また、近年のプロジェクタには、より鮮明な表示画面を表示可能にするために、光学ユニットにおける光変調素子と入射側の偏光板との間にＷＶ（Ｗｉｄｅ  Ｖｉｅｗ  ）フィルムを介在させたものが存在する。この場合、出願人は、前述した液晶パネルユニット（光変調素子）に対する入射側の偏光板の取り付け姿勢によって表示画面のコントラストが変化するのと同様にして、光変調素子に対するＷＶフィルムの取り付け姿勢が表示画面のコントラストに大きく影響するのを確認している。したがって、入射側偏光板の取り付け姿勢の調整と同様にして、ＷＶフィルムの取り付け姿勢を調整する必要が生じる。しかし、接着剤等で筐体に固定する構成を採用した場合、前述した入射側偏光板の取り付け姿勢の調整作業と同様にして、ＷＶフィルムの取り付け姿勢の調整が煩雑である。
【０００６】
一方、上記の課題を解決すべく、出願人は、接着剤等を用いることなく偏光板およびＷＶフィルムを固定する光学ユニットを開発している。具体的には、図８に示すように、出願人が開発している光学ユニット５０は、コンデンサーレンズ２１、入射側偏光板５２、ＷＶフィルム５３、液晶ライトバルブ（光変調素子）２４、ＷＶフィルム２５、射出側偏光板２６およびプリズム１５が光の進行方向に沿ってこの順序で配設されて構成されている。この場合、液晶ライトバルブ２４は、例えば固定用ボルトによって光学ユニット５０の筐体５０ａに固定されている。また、図９に示すように、入射側偏光板５２は、偏光板本体２２ａが円板状のフレーム５２ｂによって保持されて、筐体５０ａの支持部５０ｂ，５０ｂによって支持されている。さらに、図８，９に示すように、フレーム５２ｂには、入射側偏光板５２を筐体５０ａに固定するための固定用ボルトＢ５２を挿通可能な長孔が形成されたステー５２ｃが形成されている。一方、図８に示すように、ＷＶフィルム５３は、入射側偏光板５２とほぼ同様にして構成され、ＷＶフィルム本体２３ａが円板状のフレーム５３ｂによって保持されて、筐体５０ａの支持部５０ｂ，５０ｂ（図示せず）によって支持されている。また、フレーム５３ｂには、ＷＶフィルム５３を筐体５０ａに固定するための固定用ボルトＢ５３を挿通可能な長孔が形成されたステー５３ｃが形成されている。
【０００７】
この光学ユニット５０では、固定用ボルトＢ５２を緩めた状態において入射側偏光板５２を図９に示す矢印Ｇ１または矢印Ｇ２の向きに回動させて液晶ライトバルブ２４に対する取り付け姿勢を調整した後に、固定用ボルトＢ５２を締め付ける。これにより、入射側偏光板５２の調整作業が完了する。次に、固定用ボルトＢ５３を緩めた状態において、ＷＶフィルム５３を回動させて液晶ライトバルブ２４に対する取り付け姿勢を調整した後に、固定用ボルトＢ５３を締め付ける。これにより、ＷＶフィルム５３の調整作業が完了する。この光学ユニット５０では、入射側偏光板５２およびＷＶフィルム５３が固定用ボルトＢ５２，Ｂ５３によって固定されているため、取り付け姿勢の調整時には、接着剤等を除去することなく、入射側偏光板５２およびＷＶフィルム５３を直ちに回動させることが可能となる。しかし、この光学ユニット５０では、入射側偏光板５２、ＷＶフィルム５３および液晶ライトバルブ２４の冷却効率が悪化する事態を回避するために、コンデンサーレンズ２１、入射側偏光板５２、ＷＶフィルム５３および液晶ライトバルブ２４を互いに大きく離間させる必要がある。
【０００８】
つまり、この種の光学ユニットでは、光源ランプによって射出された光を光変調する際に入射側偏光板、ＷＶフィルムおよび液晶ライトバルブ等が発熱する。したがって、この種のプロジェクタに搭載されている光学ユニットでは、光変調に際して発生する熱に起因して入射側偏光板、ＷＶフィルムおよび液晶ライトバルブの光学的特性が劣化するのを回避するために、コンデンサーレンズと入射側偏光板との間、入射側偏光板とＷＶフィルムとの間、およびＷＶフィルムと液晶ライトバルブとの間に送風ファンによって空気を送風して冷却する構成が採用されている。この場合、出願人が開発している光学ユニット５０では、送風ファンによって送風された空気が図８，９における下側から上側に向けて送風される構成が採用されている。しかし、この光学ユニット５０では、入射側偏光板５２およびＷＶフィルム５３を筐体５０ａに固定するためのステー５２ｃ，５３ｃが空気の流れの妨げとなるため、コンデンサーレンズ２１、入射側偏光板５２、ＷＶフィルム５３および液晶ライトバルブ２４を互いに大きく離間させて、送風される空気をスムーズに通過させる構成を採用する必要がある。このため、出願人が開示している光学ユニットには、コンデンサーレンズ２１から液晶ライトバルブ２４までの光路が長くなる分だけ、光学ユニット５０が全体として大形化するという課題がある。
【０００９】
本発明は、かかる改善すべき課題に鑑みてなされたものであり、その大形化を回避しつつ、光変調素子に対する偏光板およびＷＶフィルムの取り付け姿勢を容易に調整し得る光学ユニットおよびプロジェクタを提供することを主目的とする。
【００１０】
【課題を解決するための手段】
上記目的を達成すべく本発明に係る光学ユニットは、集光レンズ、偏光板、ＷＶフィルムおよび光変調素子が光の進行方向に沿ってこの順序で配設された光変調光学系を備え、光源から射出された光を前記光変調光学系によって光変調して投射光学系に射出可能に構成された光学ユニットであって、前記偏光板および前記ＷＶフィルムを保持して当該光学ユニットの筐体に別個独立してそれぞれ取り付けられる一対の枠部材を備え、前記各枠部材は、前記偏光板および前記ＷＶフィルムのうちの対応する一方の前記光変調素子に対する取り付け姿勢を調整するためのボルトを挿通可能な挿通孔が形成されたステーがその側方に突出形成されると共に、前記光の進行方向と平行な仮想回転軸を中心として回動可能に少なくとも２点で支持された状態において前記挿通孔を挿通させた前記ボルトによるボルト締めで前記筐体に取り付けられ、かつ、当該ボルトの締め付け量に応じて前記仮想回転軸を中心として回動して前記対応する一方の前記取り付け姿勢を調整可能にそれぞれ構成されている。また、本発明に係るプロジェクタは、上記の光学ユニットを備えて構成されている。
【００１１】
この光学ユニットおよびプロジェクタでは、取り付け姿勢調整用のボルトの締め付け量を微調整することでステーを上下動させて偏光板およびＷＶフィルムの光変調素子に対する取り付け姿勢を調整可能に構成されている。この場合、ステーが枠部材の側方に突出形成されているため、冷却風を送風するための空気の流れが妨げられない結果、集光レンズ、偏光板、ＷＶフィルムおよび光変調素子を大きく離間させることなく、これらを十分に冷却することが可能となる。したがって、集光レンズ、偏光板、ＷＶフィルムおよび光変調素子を互いに接近させることが可能となるため、光学ユニットの小形化、ひいてはプロジェクタの小形化を図ることが可能となる。さらに、偏光板およびＷＶフィルムを接着剤等で固定する構成とは異なり、接着剤等の除去作業が不要となるため、ボルトの締め付け量を微調整するだけで光変調素子に対する偏光板およびＷＶフィルムの取り付け姿勢を容易に調整することが可能となる。
【００１２】
また、本発明に係る光学ユニットおよびプロジェクタは、上記の光学ユニットおよびプロジェクタにおいて、前記ボルトの頭部に向けて前記ステーを付勢する付勢手段が当該ステーと前記筐体との間に配設されている。
【００１３】
この光学ユニットおよびプロジェクタでは、ステーが付勢手段によってボルトの頭部に向けて付勢されている。したがって、ボルトを締め込むことでその頭部によってステーを押し下げ、ボルトを緩めることで付勢手段によってステーを押し上げることが可能となる。このため、簡易な構成でありながら、光変調素子に対する偏光板およびＷＶフィルムの取り付け姿勢を正確かつ容易に調整することが可能となる。
【００１４】
さらに、本発明に係る光学ユニットおよびプロジェクタは、上記の光学ユニットおよびプロジェクタにおいて、前記一対の枠部材は、その前記各ステーが相反する側の側方にそれぞれ突出形成されて構成されている。
【００１５】
この光学ユニットおよびプロジェクタでは、偏光板およびＷＶフィルムをそれぞれ保持する両枠部材のステーが相反する側の側方に突出するように構成されている。したがって、例えば両枠部材のステーを同一の側方に突出させる構成とは異なり、偏光板およびＷＶフィルムを極く近距離に接近させたとしても両ステーの互いの当接を回避することが可能となる。このため、偏光板およびＷＶフィルムを接近させて取り付けることが可能となる結果、光学ユニットを十分に小形化することが可能となる。この場合、偏光板を保持する枠部材と、ＷＶフィルムを保持する枠部材とを共通部品とすることによって光学ユニットの生産コストを十分に低下させることが可能となる。
【００１６】
【発明の実施の形態】
以下、添付図面を参照して、本発明に係る光学ユニットおよびプロジェクタの好適な発明の実施の形態について説明する。
【００１７】
図１に示すリアプロジェクタ１は、本発明に係るプロジェクタの一例であって、光学ユニット（光学エンジンユニット）２、スクリーン３、表示制御部４および主制御部５を備えて各種の表示画面を投射表示可能に構成されている。この場合、リアプロジェクタ１は、実際には、映像信号処理部、音声信号処理部およびスピーカ等を備えているが、本発明についての理解を容易とするために、これらについての図示および説明を省略する。光学ユニット２は、図２に示すように、光源１１、色分離光学系１２、リレー光学系１３、光変調光学系１４、プリズム１５、投射光学系１６およびファン１７を備え、これらがケース２ａに取り付けられてユニット化されている。この場合、同図に示すケース２ａの上面開口部位は、蓋２ｂによって閉塞される。
【００１８】
光源１１は、高圧水銀灯やメタルハライドランプ等で構成された光源ランプと、リフレクタと、集光レンズとを備えて構成されている。色分離光学系１２は、一例として、複数のダイクロイックミラーを備えて、光源１１によって射出された白色光を赤色光（Ｒ）、緑色光（Ｇ）および青色光（Ｂ）に分光する。リレー光学系１３は、色分離光学系１２によって分光された光のうちの例えば青色光を光変調光学系１４の所定部位に案内する。光変調光学系（偏光変換光学系）１４は、図３に示すように、色分離光学系１２によって分光された光のうち、赤色光についての光変調を実行する光変調部２０Ｒと、緑色光についての光変調を実行する光変調部２０Ｇと、青色光についての光変調を実行する光変調部２０Ｂとを備えて構成されている（以下、区別しないときには「光変調部２０」ともいう）。この場合、図４に示すように、各光変調部２０は、コンデンサーレンズ２１、入射側偏光板２２、ＷＶフィルム２３、液晶ライトバルブ２４、ＷＶフィルム２５および射出側偏光板２６が光の進行方向に沿ってこの順序でケース２ａに取り付けられて構成されている。
【００１９】
コンデンサーレンズ２１は、本発明における集光レンズに相当し、色分離光学系１２によって分光された光を集光する。入射側偏光板２２は、本発明における偏光板に相当し、図５に示すように、コンデンサーレンズ２１によって集光された光を直線偏光する偏光板本体２２ａがフレーム２２ｂによって保持された状態で、ケース２ａの支持部３２，３２によって支持されている。この場合、フレーム２２ｂは、本発明における枠部材に相当し、全体として円板状に形成されると共に、液晶ライトバルブ２４に対する取り付け姿勢を調整するための調整用ボルトＢ２２を挿通可能な長孔（挿通孔）が形成されたステー２２ｃがその側方に突出するように形成されている。また、フレーム２２ｂは、ケース２ａの支持部３２，３２の２点で支持されて、コンデンサーレンズ２１を透過した光の進行方向と平行な仮想回転軸を中心として液晶ライトバルブ２４に対する取り付け姿勢を調整可能に取り付けられている。一方、図３に示すように、ＷＶフィルム２３は、入射側偏光板２２と同様にして、ＷＶフィルム本体２３ａが円板状のフレーム２２ｂによって保持された状態で、ケース２ａの支持部３２，３２（図示せず）の２点で回動可能に支持されている。
【００２０】
この場合、入射側偏光板２２のフレーム２２ｂとＷＶフィルム２３のフレーム２２ｂとは、互いに同形状に形成されて、図４に示すように、ケース２ａに対する取り付けを逆向きとすることによって、入射側偏光板２２およびＷＶフィルム２３の各ステー２２ｃ，２２ｃが相反する側の側方にそれぞれ突出するように構成されている。また、図５に示すように、ステー２２ｃの長孔を挿通させられた調整用ボルトＢ２２，Ｂ２３は、ケース２ａのボルト穴３３，３３にボルト締めされている。さらに、ステー２２ｃとケース２ａとの間には、ステー２２ｃを上向きに（調整用ボルトＢ２２，Ｂ２３の各頭部に向けて）付勢するスプリングＳが配設されている。この場合、スプリングＳは、本発明における付勢手段に相当し、一例として、コイルスプリングで構成されて、その中心部に調整用ボルトＢ２２，Ｂ２３が挿通させられることによってステー２２ｃおよびケース２ａ間からの離脱が規制されている。
【００２１】
液晶ライトバルブ２４は、本発明における光変調素子に相当し、入射側偏光板２２およびＷＶフィルム２３を透過した光を表示制御部４の制御下で光変調して射出する。ＷＶフィルム２５および射出側偏光板２６は、液晶ライトバルブ２４によって光変調された光の振幅方向を揃えて射出するためのものであって、この光学ユニット２では、一例として、ＷＶフィルム２５および射出側偏光板２６の双方が、液晶ライトバルブ２４に対する取り付け姿勢が調整された状態で接着剤等によってケース２ａに固定されている。一方、プリズム１５は、光変調光学系１４の各光変調部２０によって光変調された赤色光、緑色光および青色光を合成して表示画面を表示するための投射光Ｌ（図１参照）として射出する。投射光学系１６は、プリズム１５によって射出された投射光Ｌの拡大、およびスクリーン３に対する焦点位置の調整等が可能に構成されている。
【００２２】
ファン１７は、主制御部５の制御下で光源１１、各光学系およびプリズムなどを冷却するための冷却手段であって、冷却用の空気を送風する。この場合、図６に示すように、光学ユニット２のケース２ａには、ファン１７によって送風された空気を各光学系およびプリズムなどに案内するための導風路３１が形成されている。また、導風路３１によって案内された空気は、図４における紙面奥側から紙面手前側（図５における下側から上側）に向けてコンデンサーレンズ２１と入射側偏光板２２との間、入射側偏光板２２とＷＶフィルム２３との間、ＷＶフィルム２３と液晶ライトバルブ２４との間、液晶ライトバルブ２４とＷＶフィルム２５との間、ＷＶフィルム２５と射出側偏光板２６との間、および射出側偏光板２６とプリズム１５との間を移動し、その際に、入射側偏光板２２、ＷＶフィルム２３、液晶ライトバルブ２４、ＷＶフィルム２５および射出側偏光板２６の熱を奪って冷却する。また、これらの熱を奪うことで加熱された空気は、リアプロジェクタ１の外部に排気される。
【００２３】
スクリーン３は、特に限定されないが、一例として、光学ユニット２によって射出される投射光Ｌを平行光に変換するフレネルレンズと、フレネルレンズの表面側に配設されたレンチキュラレンズとを備えて構成されている。表示制御部４は、光源ランプ駆動部および液晶ライトバルブ駆動部などを備えて、主制御部５の制御下で光源１１の光源ランプを点灯させると共に、映像映像信号処理部によって出力される映像信号に基づいて各光変調部２０の液晶ライトバルブ２４を駆動する。主制御部５は、リアプロジェクタ１の各部を総括的に制御する。また、主制御部５は、光学ユニットの各部に配設された図示しない温度センサのセンサ信号に応じてファン１７を作動させて、光源１１、各光学系およびプリズムなどを冷却させる。
【００２４】
このリアプロジェクタ１では、光学ユニット２の組み立て時において、各光変調部２０の入射側偏光板２２、ＷＶフィルム２３，２５および射出側偏光板２６の液晶ライトバルブ２４に対する取り付け姿勢を調整する。具体的には、例えば、組み立て中の光学ユニット２を検査用治具に固定した状態で光源ランプを点灯させて、検査用スクリーンに検査画面を投射表示する。この際に、液晶ライトバルブ２４は、光源１１によって射出されて色分離光学系１２によって分光された光を検査装置の制御下で検査画面を表示可能に光変調する。次に、検査用スクリーンに投射表示された検査画面を参照しつつ、入射側偏光板２２、ＷＶフィルム２３，２５および射出側偏光板２６の取り付け姿勢を調整する。この際に、ＷＶフィルム２５および射出側偏光板２６については、ケース２ａに対して例えば手で回動させることによって液晶ライトバルブ２４に対する取り付け姿勢を調整した後に、接着剤等によってケース２ａに固定する。
【００２５】
一方、入射側偏光板２２およびＷＶフィルム２３については、調整用ボルトＢ２２，Ｂ２３の締め付け量を微調整して液晶ライトバルブ２４に対する取り付け姿勢を調整する。この場合、調整用ボルトＢ２２を締め込んだ際には、その頭部によってステー２２ｃが図７に示す矢印Ｅ１の向きに押し下げられて、入射側偏光板２２が矢印Ｄ１の向きで回動する。また、調整用ボルトＢ２２を緩めた際には、ステー２２ｃがスプリングＳによって同図に示す矢印Ｅ２の向きに押し上げられて、入射側偏光板２２が矢印Ｄ２の向きで回動する。さらに、調整用ボルトＢ２３を締め込んだ際には、その頭部によってステー２２ｃが押し下げられて、ＷＶフィルム２３が図４に示す矢印Ｄ２の向き（同図の下側から見て時計方向の向き）で回動する。また、調整用ボルトＢ２３を緩めた際には、ステー２２ｃが押し上げられて、ＷＶフィルム２３が同図に示す矢印Ｄ１の向き（同図の下側から見て反時計方向の向き）で回動する。このように、調整用ボルトＢ２２，Ｂ２３をの締め付け量を微調整して偏光板本体２２ａおよびＷＶフィルム本体２３ａを回動させることにより、液晶ライトバルブ２４に対する取り付け姿勢が調整される結果、検査用画面が鮮明に表示される。
【００２６】
この場合、この光学ユニット２では、ステー２２ｃがスプリングＳによって常時調整用ボルトＢ２２，Ｂ２３の各頭部に向けて付勢されているため、入射側偏光板２２およびＷＶフィルム２３のステー２２ｃが、調整用ボルトＢ２２，Ｂ２３の頭部とスプリングＳとで挟持された状態となっている。したがって、調整用ボルトＢ２２，Ｂ２３の締め付け量を微調整することによる取り付け姿勢の調整が完了した時点での接着剤等による固定を不要にしつつ、入射側偏光板２２およびＷＶフィルム２３の不測の回動が規制される。以上により、組み立て時における取り付け姿勢の調整作業が完了する。この後、ケース２ａの上面開口部位を蓋２ｂによって閉塞することにより、光学ユニット２の組み立てが完了する。
【００２７】
一方、リアプロジェクタ１についての最終製品検査時や、リアプロジェクタ１を長期に亘って使用した後のメインテナンス時には、ケース２ａから蓋２ｂを取り外す。次いで、スクリーン３に投射表示させた検査用画面を参照しつつ調整用ボルトＢ２２，Ｂ２３の締め付け量を微調整して、検査用画面が鮮明に表示されるように入射側偏光板２２およびＷＶフィルム２３の取り付け姿勢を調整する。この際に、入射側偏光板２２およびＷＶフィルム２３が接着剤等で固定されていないため、入射側偏光板２２およびＷＶフィルム２３の取り外し作業（接着剤の除去作業）が不要となる。この後、ケース２ａに蓋２ｂを取り付けることによって調整作業が完了する。この場合、この光学ユニット２では、入射側偏光板２２およびＷＶフィルム２３を取り付けるためのステー２２ｃ，２２ｃが入射側偏光板２２およびＷＶフィルム２３の側方にそれぞれ突出している。したがって、出願人が開発している光学ユニット５０とは異なり、ファン１７によって送風された空気は、その流れを妨げられることなく冷却経路を移動する。
【００２８】
このように、このリアプロジェクタ１によれば、フレーム２２ｂの側方に突出するように形成したステー２２ｃ，２２ｃを調整用ボルトＢ２２，Ｂ２３の締め付け量を微調整することで上下動させて入射側偏光板２２およびＷＶフィルム２３を回動可能に光学ユニット２を構成したことにより、ファン１７によって送風された空気の流れを妨げらることなく冷却経路を確保することができるため、コンデンサーレンズ２１、入射側偏光板２２、ＷＶフィルム２３および液晶ライトバルブ２４を互いに大きく離間させることなく、これらを十分に冷却することができる。したがって、コンデンサーレンズ２１、入射側偏光板２２、ＷＶフィルム２３および液晶ライトバルブ２４を互いに接近させることができるため、光学ユニット２の小形化、ひいてはリアプロジェクタ１の小形化を図ることができる。さらに、入射側偏光板およびＷＶフィルムを接着剤等で固定する構成とは異なり、接着剤等の除去作業が不要となるため、調整用ボルトＢ２２，Ｂ２３の締め付け量を微調整するだけで液晶ライトバルブ２４に対する入射側偏光板２２およびＷＶフィルム２３の取り付け姿勢を確実かつ容易に調整することができる。
【００２９】
また、このリアプロジェクタ１によれば、光学ユニット２が、調整用ボルトＢ２２，Ｂ２３の頭部に向けてステー２２ｃを付勢するスプリングＳを備えたことにより、調整用ボルトＢ２２，Ｂ２３を締め込むことでその頭部によってステー２２ｃを押し下げ、調整用ボルトＢ２２，Ｂ２３を緩めることでスプリングＳによってステー２２ｃを押し上げることができる。このため、簡易な構成でありながら、液晶ライトバルブ２４に対する入射側偏光板２２およびＷＶフィルム２３の取り付け姿勢を正確かつ容易に調整することができる。
【００３０】
さらに、このリアプロジェクタ１によれば、入射側偏光板２２およびＷＶフィルム２３を保持する両フレーム２２ｂの両ステー２２ｃ，２２ｃが相反する側の側方に突出するように光学ユニット２を構成したことにより、両ステー２２ｃ，２２ｃを同一方向に突出させる構成とは異なり、入射側偏光板２２およびＷＶフィルム２３を極く近距離に接近させたとしてもステー２２ｃ，２２ｃの互いの当接を回避することができる。このため、入射側偏光板２２およびＷＶフィルム２３を接近させた状態でケース２ａに取り付けることができる結果、光学ユニット２を十分に小形化することができる。この場合、この光学ユニット２では、偏光板本体２２ａを保持するフレーム２２ｂと、ＷＶフィルム本体２３ａを保持するフレーム２２ｂを共通部品としたことにより、光学ユニット２の生産コストを十分に低下させることができる。
【００３１】
なお、本発明は、上記した本発明の実施の形態に限定されない。例えば、本発明の実施の形態では、本発明に係る光学ユニットをリアプロジェクタ１に搭載した例について説明したが、本発明に係るプロジェクタはこれに限定されず、正面投射型のプロジェクタに本発明に係る光学ユニットを搭載する構成を採用することができる。また、本発明の実施の形態では、入射側偏光板２２およびＷＶフィルム２３の取り付け姿勢を調整用ボルトＢ２２，２３の締め付けによって調整する構成について説明したが、本発明はこれに限定されず、入射側偏光板２２およびＷＶフィルム２３のみならず、ＷＶフィルム２５および射出側偏光板２６を入射側偏光板２２およびＷＶフィルム２３と同様に構成して調整用ボルトの締め付けによって取り付け姿勢を調整可能にすることもできる。
【００３２】
さらに、本発明の実施の形態では、調整用ボルトＢ２２，Ｂ２３を締め込んだ際に頭部によってステー２２ｃが押し下げられ、調整用ボルトＢ２２，Ｂ２３を緩めた際にスプリングＳによってステー２２ｃが押し上げられる構成を例に挙げて説明したが、本発明はこれに限定されない。例えば、調整用ボルトＢ２２，Ｂ２３およびスプリングＳ，Ｓに代えて例えば鍔付きボルトを使用してその頭部と鍔との間にステー２２ｃを挟み込むようにして取り付けることで、鍔付きボルトを締め込んだ際にその頭部によってステー２２ｃが押し下げられ、鍔付きボルトを緩めた際に鍔によってステー２２ｃが押し上げられる構成を採用することができる。この場合、鍔付きボルトの鍔に代えて、例えば一般的なボルトにダブルナットを配設することで、特殊なボルトを使用することなく頭部とナットとでステー２２ｃを上げ下げすることもできる。また、本発明の実施の形態では、光変調部２０Ｒ，２０Ｇ，２０Ｂの３つを有する光変調光学系１４を備えてカラーの表示画面を投射表示可能に構成されたリアプロジェクタ１を例に挙げて説明したが、本発明におけるプロジェクタには、モノクロの表示画面を投射表示可能に構成された各種のプロジェクタが含まれる。この場合、モノクロ表示型のプロジェクタでは、上記したリアプロジェクタ１における光変調部２０Ｒ，２０Ｇ，２０Ｂのいずれか１つによって本発明における光変調光学系を構成すればよい。
【図面の簡単な説明】
【図１】リアプロジェクタ１の構成を示すブロック図である。
【図２】光学ユニット２の外観斜視図である。
【図３】光変調光学系１４近傍の外観斜視図である。
【図４】光変調部２０を上方から見た平面図である。
【図５】図４におけるＡ−Ａ線断面図である。
【図６】光学ユニット２の断面図である。
【図７】入射側偏光板２２の調整方法を説明するための断面図である。
【図８】出願人が開発している光学ユニット５０の断面図である。
【図９】図８におけるＦ−Ｆ線断面図である。
【符号の説明】
１  リアプロジェクタ、２  光学ユニット、２ａ  ケース、１１  光源、１４光変調光学系、１６  投射光学系、１７  ファン、２０Ｒ，２０Ｇ，２０Ｂ  光変調部、２１  コンデンサーレンズ、２２  入射側偏光板、２２ａ  偏光板本体、２２ｂ  フレーム、２２ｃ  ステー、２３  ＷＶフィルム、２３ａ  ＷＶフィルム本体、２４  液晶ライトバルブ、３２  支持部、３３  ボルト穴、Ｂ２２，Ｂ２３  調整用ボルト、Ｌ  投射光、Ｓ  スプリング
【図１】
2004294896.tif 000003
【図２】
2004294896.tif 000004
【図３】
2004294896.tif 000005
【図４】
2004294896.tif 000006
【図５】
2004294896.tif 000007
【図６】
2004294896.tif 000008
【図７】
2004294896.tif 000009
【図８】
2004294896.tif 000010
【図９】
2004294896.tif 000011